(57)【要約】【課題】警備車両から警告信号を送ったり、不使用時には折り畳んで格納しておくといった使用方法が可能な発光表示シートを提供する。【解決手段】複数個の発光素子１０を直線状の基板２０に等間隔に配置した発光体２を複数本用い、発光体２を等間隔で並列に配置して、柔軟性のあるシート１に取付けている。発光素子１０が、１個のＬＥＤ素子１１と、これを内包して固定するキャップ１４からなり、キャップ１４が、シート１に形成された孔に挿入された状態で、シート１に固定されているので、発光した文字を構成する線が緻密になり、視認性が高くなる。シート１は柔軟なので引っ掛けて使用でき、使用しないときは折り畳んで格納しておくことができる。【選択図】図１
2013222073.tif 000002
【特許請求の範囲】
【請求項１】
複数個の発光素子を直線状の基板に等間隔に配置した発光体を複数本用い、該発光体を等間隔で並列に配置して、柔軟性のあるシートに取付けた
ことを特徴とする発光表示シート。
【請求項２】
前記発光素子が、１個のＬＥＤ素子と、該ＬＥＤ素子を内包して固定するキャップとからなり、該キャップが、前記シートに形成された孔に挿入された状態で、該シートに固定されている  
ことを特徴とする請求項１記載の発光表示シート。
【請求項３】
前記キャップが、円筒形の胴部と、該胴部の天面を塞ぐ光透過部と、該光透過部の外周に形成された鍔部とからなり、
前記シートの孔に前記胴部を挿入し前記鍔部の裏面を前記孔の外周のシート表面に接触させた状態で、前記シートと前記胴部の外周との間に合成樹脂を詰めて固めた
ことを特徴とする請求項２記載の発光表示シート。
【発明の詳細な説明】
【技術分野】
【０００１】
本発明は、発光表示シートに関する。さらに詳しくは、車両や船舶の適所に引っ掛けて使用し、光を発することによってメッセージを伝達するための発光表示シートに関する。
本発明の代表的な使用例としては、警察や自衛隊、消防の車両等に随時引っ掛けて使用し、警備上の指示や退去命令等の警告を表示するもので、とくに夜間や遠方からでも、高い視認効果が得られる発光表示シートに関する。
【背景技術】
【０００２】
近年、視認性の高い照明器具として、ＬＥＤを用いた器具が交通信号機その他の分野で多用されている。これらの照明器具は指向性が強く、高輝度であるという特徴がある。
【０００３】
ＬＥＤを用いた照明器具としては、数多くの文献が存在するが、そのうちの代表的なものとして特許文献１〜３がある。
しかし、これらの従来技術は、いずれも硬く曲がらない基板にＬＥＤを取付けたものであり、基板は面状か枠状をしている。
したがって、柔軟性に欠けることから車両等の窓枠や荷台に引っ掛けて警告信号を送ったり、不使用時には折り畳んで格納しておくといった使用方法は不可能である。
【先行技術文献】
【特許文献】
【０００４】
【特許文献１】ＷＯ２００８/０６２８１２号公報
【特許文献２】特開２０１０−３６００号公報
【特許文献３】特開２０１０−３３７５７号公報
【発明の概要】
【発明が解決しようとする課題】
【０００５】
本発明は上記事情に鑑み、車両等の窓枠や荷台に引っ掛けて警備上の指示を送ったり、不使用時には折り畳んで格納しておくといった使用方法が可能な発光表示シートを提供することを目的とする。また、本発明は視認性が高く画数の多い文字でも発光できる発光表示シートを提供することを目的とする。
【課題を解決するための手段】
【０００６】
第１発明の発光表示シートは、複数個の発光素子を直線状の基板に等間隔に配置した発光体を複数本用い、該発光体を等間隔で並列に配置して、柔軟性のあるシートに取付けた
ことを特徴とする。
第２発明の発光表示シートは、第１発明において、前記発光素子が、１個のＬＥＤ素子と、該ＬＥＤ素子を内包して固定するキャップとからなり、該キャップが、前記シートに形成された孔に挿入された状態で、該シートに固定されていることを特徴とする。
第３発明の発光表示シートは、第２発明において、前記キャップが、円筒形の胴部と、該胴部の天面を塞ぐ光透過部と、該光透過部の外周に形成された鍔部とからなり、前記シートの孔に前記胴部を挿入し前記鍔部の裏面を前記孔の外周のシート表面に接触させた状態で、前記シートと前記胴部の外周との間に合成樹脂を詰めて固めたことを特徴とする。
【発明の効果】
【０００７】
第１発明によれば、発光素子が等間隔に並んだ発光体を等間隔で並べたことによって発光素子がマトリクス状に配列されることになるので、任意の発光素子を点灯することで、警告信号を発光することができる。しかも、シートは柔軟なので車両等の窓枠や荷台に引っ掛けて使用でき、使用しないときは折り畳んで格納しておくことができる。
第２発明によれば、発光素子を構成するキャップが直接、シートに固定されているので、隣接する発光素子同士の間の間隔が狭くできる。このため、発光素子で発光した文字を構成する線が緻密になるので、視認性が高くなり、画数の多い文字でも発光することができる。
第３発明によれば、各発光素子のシートに対する固着は、シートを鍔と裏側から充填した合成性樹脂で固めているので、シートへの固定が強く、発光素子内への水の進入も阻止できるので、耐久性が高い。
【図面の簡単な説明】
【０００８】
【図１】本発明の一実施形態に係る発光表示シートＡの正面図である。
【図２】（Ａ）は図１の発光表示シートＡの一部拡大破断面、（Ｂ）は破断部分の断面図である。
【図３】（Ａ）は発光体の一部平面図、（Ｂ）は発光体の一部斜視図である。
【図４】発光体のシートへの取付け例を示す断面図である。
【図５】発光体の他の取付け例を示す断面図である。
【図６】本発明の発光表示シートＡの使用状態説明図である。
【発明を実施するための形態】
【０００９】
つぎに、本発明の実施形態を図面に基づき説明する。
図１および図２に基づき本発明の一実施形態に係る発光表示シートＡを説明する。
この発光表示シートＡは、表面シート１に発光素子１０を複数段・複数列のマトリクス状に配置したものである。５は裏面シートで、表面シート１と共にその外周縁は適数個のグロメット４で互いに接合され、表示シートＡを袋状にしている。
シート１とシート５は同材料でもよく異なる材料でもよいが、風雨、日光等に耐える材料で作るのが好ましい。シート１およびシート５の周縁にはロープなどを通す孔があけられ、グロメット４で補強されている。このグロメット４にロープを通せば車両の窓枠や荷台に発光表示シートＡを縄着することができる。
【００１０】
本発明の発光表示シートＡは、図６に示すように警備車両等の窓枠等に引っ掛けて使用するため、シート１、５には柔軟性が要求される。
このため、シート１、５は柔軟性のある素材が用いられ、たとえば、帆布や化学繊維シートなどが好ましい。
このような柔軟性のあるシートを用いると、不使用時には折り畳んで格納することが容易であり、湾曲した部分にも、これに沿って引っ掛けることができる。
【００１１】
発光表示シートＡの最も好適な寸法は、縦約４０ｃｍ、横約２４０ｃｍであるが、これは取扱いの便宜から定めた寸法であり、これに限られない。取扱いの便宜からは、縦約３０〜６０ｃｍ、横約２００〜４８０ｃｍでもよく、さらに、表示する文字量を増やす場合は、これらの寸法より大きくすればよく、文字数が少なくてよい使い方をするなら、小さくてもよい。
【００１２】
図示の発光表示シートＡには、発光素子１０は種々の文字を表示できるだけの数がマトリクス状に並べられたものである。そして、概ね４文字を表示するように縦１６〜２４個×横６４〜１９２個、好ましくは、縦１６個×横１６個のからなる発光素子１０の組が４組または８組並んでおり、点灯する発光体２を選択することにより、例えば「通行禁止」等の警告や指示を示す文字が点灯するように配置されている。
【００１３】
つぎに、発光体２の詳細を説明する。
図２に示すように、発光体２は、複数個の発光素子１０を直線状の基板２０に等間隔で取付けたものである。また、発光体２は、複数本が並列に配置され、表面シート１に取付けられている。
【００１４】
図２および図３に示すように、各発光体２は、基板２０に発光素子１０を等間隔で一直線状に取付けられる。図３では発光素子１０を２個しか示していないが、実際には図２に示すように１６個が取付けられる。また、発光体２は１文字分のスペースに１６本が取付けられる。
なお、図３に示す発光素子１０は、図４に示すもので、ＬＥＤ素子１１がＬＥＤ基板１２に固着されており、ＬＥＤ基板１２からはピン１３が各素子１１につき４本突き出したものである。
【００１５】
発光体２のシート１への取付け方を、図４および図５に基づき説明する。
図４の例において、１ｈは表面シート１にあけた孔である。発光素子１０は、既述のごとく、ＬＥＤ素子１１がＬＥＤ基板１２の表面に固定され、ピン１３を介して基板２０上に固定されている。キャップ１４は円筒形の胴部１５とその頂面に形成された光透過部１６からなり、光透過部１６の外周には鍔部１７が形成されている。
【００１６】
表面シート１の孔１ｈにはキャップ１４の胴部１５が挿入され、鍔１７が孔１ｈの外側の表面シート１に接している。表面シート１の裏面では固定リング１８が胴部１５に嵌められ、固定リング１８と鍔１７とで表面シート１を挟んでいる。この状態で、固定リング１８の周囲であって、表面シート１の裏面と胴部１Ｓとの間に合成樹脂１９が充填され固められている。
【００１７】
このような固定構造により、各発光素子１０が表面シート１に固定されて、発光体２も表面シート１２に固定されることになる。また、合成樹脂１９により液密性が確保されるので、発光素子１０の防水も可能となる。
【００１８】
図５の取付け例は、図４の取付け例と実質的に異なることはない。発光素子１０が、ＬＥＤ素子１１を直接、基板２０に固定した点で、異なっているだけである。
【００１９】
上記の実施形態によれば、発光素子１０が等間隔に並んだ発光体２を等間隔で並べたことによって発光素子１０がマトリクス状に配列されることになる。このため、任意の発光素子１０を点灯することで、警告信号を発光することができる。また、発光素子１０を構成するキャップ１４が直接、シート１に固定されているので、隣接する発光素子１０同士の間の間隔が狭くできる。このため、発光素子１０で発光した文字を構成する線が緻密になるので、遠くからの視認性が高くなり、画数の多い文字、例えば漢字でも発光表示することができる。
【００２０】
図４に示す発光素子１０の直径Ｄは１２ｍｍ、隣接する発光素子１０同士の間隔ｄは１８ｍｍ（輪郭同士の間隔は６ｍｍ）であり、これが最適値であるが、これに限られるものではない。好ましい範囲としては、発光素子１０の直径Ｄは１０ｍｍ〜４０ｍｍを例示でき、隣接する発光素子１０同士の間の間隔ｄは非常に狭い１３〜２５ｍｍが可能となる。さらにはこれらの範囲外でも警告発信に使えるなら使用可能である。
上記の最適値の寸法、間隔であると、３０ｃｍ弱四方の枠内に発光素子１０を１６個×１６個配置でき、文字を表示することができ、しかも遠方からや夜間でも視認性が高くなる。
【００２１】
本発明の発光表示シートＡには、適宜の制御器を接続して任意の発光素子１０を選択して発光させるとよい。この制御器により、発光体２の点灯、消灯、点滅等を多数の発光体２の中から選択して行うことにより警告光信号を生成することができる。また、制御器は、リモートコントロールで作動させることができ、これによって危険な場所に操作員が出ていく必要はなくなる。
【００２２】
つぎに、本発明の発光表示シートＡの使用法を説明する。
図６に示すように、車両Ｃの窓枠等（荷台など任意の部材）に、発光表示シートＡをロープで縄着したり、適当なフックで引っ掛けることができる。取付け場所が湾曲していても発光表示シートＡは柔軟性があるので、取付け可能である。
図示の発光表示シートＡは４文字が表示可能であるが、発光表示シートＡを２枚以上連らねて用いると、８文字や１２文字の表示が可能となる。
【００２３】
図６では発光表示シートＡに「通行禁止」の文字を発光表示した状態を示しているが、表示する文字の種類や数には制限がない。
代表的な例としては、警備上必要な各種の停止命令、退去命令など種々の警告を発することができる。
【符号の説明】
【００２４】
１    表面シート
２    発光体
４    グロメット
１０    発光素子
１１    ＬＥＤ素子
１４    キャップ
１５    胴部
１６    光透過部
１７    鍔
２０    基板
Ａ    発光表示シート
【図１】
2013222073.tif 000003
【図２】
2013222073.tif 000004
【図３】
2013222073.tif 000005
【図４】
2013222073.tif 000006
【図５】
2013222073.tif 000007
【図６】
2013222073.tif 000008